(57)【要約】【課題】  静止画撮影と動画撮影とを瞬時に切り換えることができる撮影装置を提供する。【解決手段】  本発明にかかるデジタルカメラは、少なくとも第１と第２の撮影機能および前記撮影機能以外の機能の切り換えを行うための機能切換手段１６，３２，４６と、前記撮影機能による撮影の開始または終了のために操作するレリーズ釦２０と、前記撮影機能以外の機能のために操作する十字釦２２，４４とを備え、レリーズ釦２０を操作した際に前記第１の撮影機能による撮影が行われるように機能切換手段１６，３２，４６が切り換えられている場合において、十字釦２２，４４を操作した際には前記第２の撮影機能による撮影が行われることを特徴とする。【選択図】図６
2005208194.tif 000002
【特許請求の範囲】
【請求項１】
画像の撮影記録を行う撮影装置であって、少なくとも第１と第２の撮影機能および前記撮影機能以外の機能の切り換えを行うための機能切換手段と、前記撮影機能による撮影の開始または終了のために操作する第１の操作部材と、前記撮影機能以外の機能のために操作する第２の操作部材とを備え、前記第１の操作部材を操作した際に前記第１の撮影機能による撮影が行われるように前記機能切換手段が切り換えられている場合において、前記第２の操作部材を操作した際には前記第２の撮影機能による撮影が行われることを特徴とする撮影装置。
【請求項２】
画像の撮影記録を行う撮影装置であって、少なくとも第１と第２の撮影機能および前記撮影機能以外の機能の切り換えを行うための機能切換手段と、前記撮影機能による撮影の開始または終了のために操作する第１の操作部材と、前記撮影機能以外の機能のために操作する第２の操作部材とを備え、前記第１の操作部材を操作した際に前記第１の撮影機能による撮影が行われるように前記機能切換手段が切り換えられている場合において、前記第２の操作部材を操作すると同時に前記第１の操作部材を操作した際には前記第２の撮影機能による撮影が行われることを特徴とする撮影装置。
【請求項３】
画像の撮影記録を行う撮影装置であって、少なくとも第１と第２の撮影機能および前記撮影機能以外の機能の切り換えを行うための機能切換手段と、前記撮影機能による撮影の開始または終了のために操作する第１の操作部材と、前記撮影機能以外の機能のために操作する第２の操作部材とを備え、前記第１の操作部材を操作した際に前記第１の撮影機能による撮影が行われるように前記機能切換手段が切り換えられている場合において、前記第２の操作部材を操作した後、所定時間内に前記第１の操作部材を操作した際には前記第２の撮影機能による撮影が行われることを特徴とする撮影装置。
【請求項４】
前記第１の撮影機能による撮影が動画撮影であり、前記第２の撮影機能による撮影が静止画撮影であることを特徴とする請求項１ないし３のいずれかに記載の撮影装置。
【請求項５】
前記第１の撮影機能による撮影が静止画撮影であり、前記第２の撮影機能による撮影が動画撮影であることを特徴とする請求項１ないし３のいずれかに記載の撮影装置。
【請求項６】
前記第２の撮影機能である動画撮影中において、動画撮影開始時と同じ操作を行うことにより撮影を終了できることを特徴とする請求項５に記載の撮影装置。
【請求項７】
前記第１の操作部材がレリーズ釦であり、前記第２の操作部材がレリーズ釦以外の釦であることを特徴とする請求項１ないし６のいずれかに記載の撮影装置。
【請求項８】
前記機能切換手段が回転式またはスライド式の操作部材であることを特徴とする請求項１ないし７のいずれかに記載の撮影装置。
【請求項９】
前記機能切換手段が、機能の選択や決定を行う機能選定部材と、方向を指示する方向指示部材とからなり、前記機能切換手段による機能の切り換えは、撮影装置に備えられた表示部に表示された項目を前記機能選定部材および前記方向指示部材を用いて選択して決定することにより行われることを特徴とする請求項１ないし７のいずれかに記載の撮影装置。
【発明の詳細な説明】
【技術分野】
【０００１】
本発明は、静止画撮影および動画撮影等の少なくとも２種類の撮影機能を有するデジタルカメラやカメラ付き携帯電話等の撮影装置に関する。
【背景技術】
【０００２】
従来のデジタルスチルカメラ（ＤＳＣ）の多くは、静止画撮影または動画撮影の撮影モードの切り換えは、ダイヤルやスライドスイッチ等の部材を操作することにより行われるようになっている。また、記録の開始／終了（静止画撮影、動画撮影の開始／終了、音声記録の開始／終了等）は、レリーズ釦（またはシャッター釦）を押すことにより行われるようになっている。さらに、カメラ付き携帯電話等では、表示部に表示されたメニュー階層下で撮影モードの切り換えを行うものも多い。
【０００３】
さらにまた、下記の特許文献では、静止画用と動画用とで別々のレリーズ釦を備えるものや（特許文献１，２，３）、静止画記録開始準備のための釦を別に有するもの（特許文献４）が開示されている。
【０００４】
【特許文献１】特開平８−３１７２６５号公報
【特許文献２】特開平８−２０５００９号公報
【特許文献３】特開２０００−３５２７５９号公報
【特許文献４】特開平８−２０５０１８号公報
【発明の開示】
【発明が解決しようとする課題】
【０００５】
上述したような静止画モードおよび動画モードの少なくとも２種類の撮影機能を有する撮影装置において、静止画モード時に瞬時に動画モードに切り換えて撮影したい場合や、これとは逆に動画モード時に瞬時に静止画撮影モードに切り換えて撮影したい場合がある。そのような場合に、撮影装置が静止画用と動画用とで別々のレリーズ釦を備えていると、どちらを押せばいいのか迷ったり、誤操作したりする可能性がある。
【０００６】
また、撮影装置に複数のレリーズ釦を設けると、装置の大型化やコストアップを招くことにもなる。
【課題を解決するための手段】
【０００７】
そこで、前記課題を解決するために本発明の第１態様は、画像の撮影記録を行う撮影装置であって、少なくとも第１と第２の撮影機能および前記撮影機能以外の機能の切り換えを行うための機能切換手段と、前記撮影機能による撮影の開始または終了のために操作する第１の操作部材と、前記撮影機能以外の機能のために操作する第２の操作部材とを備え、前記第１の操作部材を操作した際に前記第１の撮影機能による撮影が行われるように前記機能切換手段が切り換えられている場合において、前記第２の操作部材を操作した際には前記第２の撮影機能による撮影が行われることを特徴とするものである。
【０００８】
また、本発明の第２態様は、画像の撮影記録を行う撮影装置であって、少なくとも第１と第２の撮影機能および前記撮影機能以外の機能の切り換えを行うための機能切換手段と、前記撮影機能による撮影の開始または終了のために操作する第１の操作部材と、前記撮影機能以外の機能のために操作する第２の操作部材とを備え、前記第１の操作部材を操作した際に前記第１の撮影機能による撮影が行われるように前記機能切換手段が切り換えられている場合において、前記第２の操作部材を操作すると同時に前記第１の操作部材を操作した際には前記第２の撮影機能による撮影が行われることを特徴とするものである。
【０００９】
さらに、本発明の第３態様は、画像の撮影記録を行う撮影装置であって、少なくとも第１と第２の撮影機能および前記撮影機能以外の機能の切り換えを行うための機能切換手段と、前記撮影機能による撮影の開始または終了のために操作する第１の操作部材と、前記撮影機能以外の機能のために操作する第２の操作部材とを備え、前記第１の操作部材を操作した際に前記第１の撮影機能による撮影が行われるように前記機能切換手段が切り換えられている場合において、前記第２の操作部材を操作した後、所定時間内に前記第１の操作部材を操作した際には前記第２の撮影機能による撮影が行われることを特徴とするものである。
【００１０】
本発明の撮影装置において、前記第１の撮影機能による撮影が動画撮影であり、前記第２の撮影機能による撮影が静止画撮影であってもよいし、これとは逆に、前記第１の撮影機能による撮影が静止画撮影であり、前記第２の撮影機能による撮影が動画撮影であってもよい。
【００１１】
また、本発明の撮影装置では、前記第２の撮影機能である動画撮影中において、動画撮影開始時と同じ操作を行うことにより撮影を終了できるようにしてもよい。
【００１２】
また、本発明の撮影装置では、前記第１の操作部材がレリーズ釦であり、前記第２の操作部材がレリーズ釦以外の釦であってもよい。
【００１３】
また、本発明の撮影装置では、前記機能切換手段が回転式またはスライド式の操作部材であってもよい。
【００１４】
さらに、本発明の撮影装置では、前記機能切換手段が、機能の選択や決定を行う機能選定部材と、方向を指示する方向指示部材とからなり、前記機能切換手段による機能の切り換えは、撮影装置に備えられた表示部に表示された項目を前記機能選定部材および前記方向指示部材を用いて選択して決定することにより行われるようにしてもよい。
【発明の効果】
【００１５】
本発明の撮影装置によれば、第１の操作部材を操作すれば機能切換手段で選択された第１の撮影機能による撮影が開始され、第２の操作部材を操作すれば機能切換手段で選択された第１の撮影機能から第２の撮影機能による撮影に切り換わる。したがって、機能切換手段での切り換えを行うことなく第１の撮影機能と第２の撮影機能とを瞬時に切り換えることができる。
【００１６】
また、第１の操作部材は、例えば、動画モード時は動画撮影開始／終了、静止画モード時は静止画撮影用と、一般的な使い方なので、通常は普通に第１の操作部材を操作すればよく、操作を間違えることがない。
【００１７】
また、機能切換手段で設定されている機能とは異なる機能での撮影という、意図的にイレギュラな撮影をしたいときにのみ、第２の操作部材を操作すればよいようにしたので、操作方法に不慣れな使用者にとっては、余計な操作部材がなく、操作を戸惑ったり、誤操作したりする可能性が少ない。
【００１８】
さらに、第１の操作部材（例えばレリーズ釦）は１つでよい。すなわち、設定された撮影機能での撮影時に操作する操作部材が複数にならないため、釦を増設するスペースがない小型の撮影装置に最適であり、また機械的なコストアップがない。
【発明を実施するための最良の形態】
【００１９】
以下に、本発明の実施の形態について添付図面を参照して説明する。
図１は、本発明の第１実施形態であるデジタルカメラ１０を背面側から見た斜視図である。デジタルカメラ１０は、筐体からなるカメラ本体１２を備えている。カメラ本体１２の前面からは鏡胴部１１が突出している。また、カメラ本体１２の端部には、略楕円筒状のグリップ部１４が設けられている。
【００２０】
グリップ部１４の上部には、回転式操作部材であるモードダイヤル（機能切換手段）１６が配置されている。モードダイヤル１６は、ユーザがこれを回転させて撮影モードを切り換えるためのものである。図２に示すように、モード１６の上面には１１種類の絵文字表示が印されており、ユーザがモードダイヤル１６を回転させて所望の絵文字表示をグリップ部１４の上面に形成された指標１７に合わせることで、静止画撮影モードまたは動画撮影モードに切り換えられるようになっている。絵表示１６ａは動画撮影モードを表しており、絵表示１６ａ以外の絵文字表示１６ｂ〜１６ｋはすべて静止画撮影モードを表していてユーザが目的に応じて切り換えて使用する。ここで、絵文字表示１６ｂはフルオートモード、絵文字表示１６ｃはポートレートシーンモード、絵文字表示１６ｄはスポーツシーンモード、絵文字表示１６ｅは風景シーンモード、絵文字表示１６ｆは夕景シーンモード、絵文字表示１６ｇは夜景シーンモード、絵文字表示１６ｈは絞りおよびシャッタ速度を手動設定するマニュアルモード、絵文字表示１６ｉはシャッタ速度優先モード、絵文字表示１６ｊは絞り優先モード、絵文字表示１６ｋは絞りおよびシャッタ速度をプログラムシフトで自動設定するプログラムモードをそれぞれ表す。
なお、モードダイヤル１６によって、静止画撮影および動画撮影を含む３種類以上の撮影モードに切り換えられるようにしてもよいし、撮影モード以外の機能として例えば音声記録モードに切り換えられるようにしてもよい。
【００２１】
グリップ部１４の上部前側には、第１の操作部材であるレリーズ釦２０が配置されている。レリーズ釦２０は、撮影の開始または終了のために操作する釦である。すなわち、静止画撮影モードではレリーズ釦２０を押下すれば静止画撮影が行われ、動画撮影モードではレリーズ釦を１回押下すれば動画撮影が開始され、レリーズ釦２０をもう１回押下すれば動画撮影が終了するようになっている。
【００２２】
カメラ本体１２の背面１３には、円形状の実行釦（機能選定部材）２１と、実行釦２１の上下左右に配置された上釦２２ａ、下釦２２ｂ、左釦２２ｃおよび右釦２２ｄで構成される方向指示機能等を有する十字釦（方向指示部材）２２と、十字釦２２の下に配置されたメニュー釦２４と、十字釦２２の横に配置された例えば液晶の表示部２６とが設けられている。メニュー釦２４（機能選定部材）は、カメラ１０の動作等を設定するメニュー画面を表示部２６に呼び出す機能のために操作する釦である。また、実行釦２１は、表示部２６に表示されたメニュー選択項目の決定や、記録されている動画の再生開始／終了の機能のために操作する釦である。さらに、十字釦２２は、表示部２６に表示される記録静止画像の選択や、表示部２６に表示されたメニューの階層下において設定値を切り換える機能のために操作する釦である。
【００２３】
本実施形態のデジタルカメラ１０では、静止画撮影モード時および動画撮影モード時のいずれの場合にも、十字釦２２のうち上釦２２ａおよび下釦２２ｂは何らの機能も有しない。したがって、デジタルカメラ１０では、例えば上釦２２ａを第２の操作部材として使用するが、その機能は後述する。
【００２４】
なお、本実施形態のデジタルカメラ１０では、実行釦２１の機能として、静止画撮影モードおよび動画撮影モードのときに所定時間押し続けた場合に、フォーカスエリア（スポットまたはワイド）を選択することが可能であるが、この機能を他の釦、例えば上釦２２ａまたは下釦２２ｂで行うようにすれば、実行釦２１を第２の操作部材として使用することもできる。この場合、上釦２２ａまたは下釦２２ｂを第２の操作部材として使用するよりも、実行釦２１の方がその形状や配置位置からして操作しやすいという利点がある。
【００２５】
また、実行釦２１を第２の操作部材として使用する場合に、２段階（例えば、半押しか全押し、または、タッチのみか全押し）に操作できる釦とすれば、第１段階の操作時にオートフォーカス機能を持たせることが可能である。その場合、第２の操作部材として操作するとき以外は、第１段階または第２段階のいずれかの操作のみを検知するようにしておけばよい。
【００２６】
デジタルカメラ１０は、さらに、カメラ本体１２の背面１３に、カメラの電源をオン／オフするための釦であるメインスイッチ２８と、撮影モードと再生モードとの切り換え、および、表示部２６とビューファインダ２９との切り換えを行うためのレバースイッチである撮影／再生切換レバー３０を備えている。ここで再生モードとは、既に撮影記録されている静止画または動画を表示部２６で再生する機能である。本実施形態では、前述のように、カメラの動作等の設定は、メニュー釦２４、実行釦２１、及び、十字釦２２により行われるため、これらの釦と、モードダイヤル１６、撮影／再生切換レバー３０とにより、機能切換手段が構成される。
【００２７】
次に、第１実施形態のデジタルカメラ１０の変形例について説明する。
この変形例のデジタルカメラの外観は、前記デジタルカメラ１０とほぼ同様であるため、その全体図を省略している。この変形例の主として異なる点は、図３に示すモードダイヤル３２を備えている点である。この回転式操作部材であるモードダイヤル（機能切換手段）３２は、前記デジタルカメラ１０におけるメインスイッチ２８、撮影／再生切換レバー３０、および、メニュー釦２４で呼び出されるメニューの階層下で設定する項目の一部を兼ねている。すなわち、絵表示３２ａは動画撮影モード、絵表示３２ｂおよび３２ｃは静止画撮影モードを示すが、その他の絵文字表示は電源オフ（３２ｄ）、再生（３２ｅ）、セットアップ（３２ｆ）および音声記録（３２ｇ）の各モードを示しており、モードダイヤル３２を回転させて各絵文字表示３２ａ〜３２ｆを指標１７に合わせることで、デジタルカメラが各モードに切り換わるようになっている。
【００２８】
次に、図４を参照して本発明の第２実施形態のデジタルカメラ４０について説明する。
なお、第１実施形態のデジタルカメラ１０と同様の機能を有する部材については、同一の符号を付してその詳細な説明は省略する。
【００２９】
図４は、デジタルカメラ４０を背面側から見た斜視図である。デジタルカメラ４０は、薄型の矩形筐体からなるカメラ本体４２を備えている。カメラ本体１２には屈曲光学系鏡胴ユニットが内蔵されており、撮影時にもカメラ本体４２から鏡胴部が突出しない構成になっている。
【００３０】
カメラ本体４２の上面４１は、第１の操作部材であるレリーズ釦２０と、メインスイッチ２８とが配置されている。また、カメラ本体４２の背面４３には、上下レバー４４ａ、左釦４４ｂおよび右釦４４ｃで構成される十字釦（方向指示部材）４４と、スライド式操作部材であるモード切換レバー（機能切換手段）４６と、実行釦２１と、メニュー釦２４と、表示部２６とが配置されている。上下レバー４４ａは、前記デジタルカメラ１０の上釦２２ａおよび下釦２２ｂに相当する。また、モード切換レバー４６は、図中左側にスライドさせれば再生モードに切り換えられ、図中右側にスライドさせれば撮影モードに切り換えられるようになっている。ここで、撮影モードに切り換えられた場合、通常は静止画撮影モードになっているが、動画撮影モードに切り換える場合には、メニュー釦２４を押して表示部２６にメニュー画面を表示させ、十字釦４４を用いてメニューの階層下で動画撮影モードを選択して実行釦２１で決定する。したがって、本実施形態においては、モード切換レバー４６のほかに実行釦２１、メニュー釦２４、十字釦４４などが機能切換手段を構成する。
【００３１】
本実施形態のデジタルカメラ４０では、静止画撮影モード時および動画撮影モード時のいずれの場合にも、十字釦４４のうち左釦４４ｂおよび右釦４４ｃは何らの機能も有しない。したがって、デジタルカメラ４０では、例えば右釦４４ｃを第２の操作部材として使用するが、その機能は後述する。
【００３２】
次に、前記第１実施形態のデジタルカメラ１０とその変形例、および、第２実施形態のデジタルカメラ４０の動作について、各カメラに内蔵された図示しない制御部で実行される制御フローを示す図５ないし７を参照して説明する。なお、実際には、上述した各カメラにおいては、モード切り換えの順序や内容が一部異なったり、複数の静止画撮影モードが存在したりして、厳密に記述すれば異なったフローになるが、これについては本発明の本質に関わる部分ではないため、いずれの実施形態をも包含するフローとして、その内容を以下に示す。
【００３３】
図５に示すように、メインルーチンが開始されると（ステップＳ１０１）、まず、静止画撮影モードかどうかを判断し（ステップＳ１０２）、静止画撮影モードに切り換えられていなければステップＳ１０３に進み、静止画撮影モードに切り換えられていれば後述する処理Ａを実行（ステップＳ２００）してからステップＳ１０３に進む。
【００３４】
続いて、動画撮影モードかどうかを判断し（ステップＳ１０３）、動画撮影モードに切り換えられていなければステップＳ１０４に進み、動画撮影モードに切り換えられていれば後述する処理Ｂを実行（ステップＳ３００）してからステップＳ１０４に進む。
【００３５】
次いで、動作設定モードかどうかを判断し（ステップＳ１０４）、動作設定モードに切り換えられていなければステップＳ１０５に進み、動作設定モードに切り換えられていれば処理Ｃを実行（ステップＳ４００）してからステップＳ１０５に進む。
なお、ステップＳ１０４とステップＳ１０５との間の線の一部を破線で示しているのは、例えば音声記録モードのような他のモードが存在する場合にはここで判断して実行することを意味する。
【００３６】
そして、最後に、電源がオフされたかどうかを判断し（ステップＳ１０５）、電源がオフされていればメインフローを終了し（ステップＳ１０６）、電源がオフされていなければ前記ステップＳ１０２に戻る。
【００３７】
次に、図６を参照して静止画撮影モードでの処理Ａについて説明する。
処理が開始されると（ステップＳ２０１）、まず、レリーズ釦２０が押されたかどうかを判断し（ステップＳ２０２）、押されていない場合にはステップＳ２０６に進む。一方、レリーズ釦２０が押された場合には動画撮影中かどうかを判断し（ステップＳ２０３）、動画撮影中であれば動画撮影を終了（ステップＳ２０４）してから静止画撮影記録を行い（ステップＳ２０５）、動画撮影中でなければ直ちに静止画撮影記録を行う（ステップＳ２０５）。
【００３８】
続いて、十字釦（例えば上釦２２ａまたは右釦４４ｃ）が押されたかどうかを判断し（ステップＳ２０６）、押されていない場合にはステップＳ２１０に進む。一方、十字釦が押された場合には動画撮影中かどうかを判断し（ステップＳ２０７）、動画撮影中でなければ動画撮影を開始し（ステップＳ２０９）、動画撮影中であれば動画撮影を終了する（ステップＳ２０８）。
【００３９】
そして、モード切り換えがあったかどうかを判断し（ステップＳ２１０）、モード切り換えがされていれば処理Ａを終了し（ステップＳ２１１）、モード切り換えがされていなければ前記ステップＳ２０２に戻る。
【００４０】
このように静止画撮影モード時には、レリーズ釦２０を押せば静止画撮影が行われ、十字釦を１回押せば動画撮影を開始してもう１回押せば動画撮影を終了する。
【００４１】
次に、図７を参照して動画撮影モードでの処理Ｂについて説明する。
処理が開始されると（ステップＳ３０１）、まず、十字釦（例えば上釦２２ａまたは右釦４４ｃ）が押されたかどうかを判断し（ステップＳ３０２）、押されていない場合にはステップＳ３０６に進む。一方、十字釦が押された場合には動画撮影中かどうかを判断し（ステップＳ３０３）、動画撮影中であれば動画撮影を終了（ステップＳ３０４）してから静止画撮影記録を行い（ステップＳ３０５）、動画撮影中でなければ直ちに静止画撮影記録を行う（ステップＳ３０５）。
【００４２】
続いて、レリーズ釦２０が押されたかどうかを判断し（ステップＳ３０６）、押されていない場合にはステップＳ３１０に進む。一方、レリーズ釦２０が押された場合には動画撮影中かどうかを判断し（ステップＳ３０７）、動画撮影中でなければ動画撮影を開始し（ステップＳ３０９）、動画撮影中であれば動画撮影を終了する（ステップＳ３０８）。
【００４３】
そして、モード切り換えがあったかどうかを判断し（ステップＳ３１０）、モード切り換えがされていれば処理Ｂを終了し（ステップＳ３１１）、モード切り換えがされていなければ前記ステップＳ３０２に戻る。
【００４４】
このように動画撮影モード時には、レリーズ釦２０を１回押せば動画撮影を開始して、レリーズ釦２０をもう１回押せば動画撮影を終了し、十字釦を押せば静止画撮影が行われる。
なお、上述した処理Ａ（または処理Ｂ）では、動画撮影中にレリーズ釦（または十字釦）が押されて静止画撮影が行われると動画撮影が中止されることになるが、この場合には静止画撮影後に引き続き動画撮影を自動的に再開するようにしてもよい。
【００４５】
なお、動作設定モードでの処理Ｃについては詳細な説明を省略する。
【００４６】
以上に説明したように、各実施形態にかかるデジタルカメラによれば、レリーズ釦２０を操作すればモードダイヤル１６，３２やモード切換レバー４６で選択された静止画撮影モード（または動画撮影モード）による撮影が開始され、十字釦２２，４４を操作すればモードダイヤル１６，３２等で選択された動画撮影モード（または静止画撮影モード）から静止画撮影モード（または動画撮影モード）による撮影に切り換わる。したがって、モードダイヤル１６，３２等での切り換えを行うことなく十字釦２２，４４の操作によって静止画撮影モードと動画撮影モードとを瞬時に切り換えることができる。
【００４７】
また、レリーズ釦２０は、例えば、動画撮影モード時は動画撮影開始／終了、静止画撮影モード時は静止画撮影用と、一般的な使い方なので、通常は普通にレリーズ釦２０を操作すればよく、操作を間違えることがない。
【００４８】
また、モードダイヤル１６，３２等で設定されているモードとは異なるモードでの撮影という、意図的にイレギュラな撮影をしたいときにのみ、十字釦２２，４４を操作すればよいようにしたので、操作方法に不慣れな使用者にとっては、余計な操作部材がなく、操作を戸惑ったり、誤操作したりする可能性が少ない。
【００４９】
さらに、レリーズ釦２０は１つでよい。すなわち、設定された撮影モードでの撮影時に操作する操作部材が複数にならないため、釦を増設するスペースがない小型のカメラに最適であり、また機械的なコストアップがない。
【００５０】
上記においては、静止画撮影モード時に動画撮影を行う、あるいは、動画撮影モード時に静止画撮影を行う例について説明したが、これに限るものではなく、例えば、音声記録機能を備えるカメラであれば、音声記録モード時に静止画撮影または動画撮影を行うようにしてもよい。さらには、音声記録モード時に、上釦２２ａを押せば静止画撮影、下釦２２ｂを押せば動画撮影といった機能を持たせることもできる。
【００５１】
ところで、以上の説明では、レリーズ釦２０とは別の操作部材（例えば十字釦２２，４４）を単体で操作することで、設定モード外の撮影ができるものとしたが、別の操作部材を操作（押下）しながらレリーズ釦２０を押すことで設定外の撮影ができるようにしてもよい。例えば、静止画撮影モード時の動画撮影では、動画撮影の開始時および終了時にこの操作を行う。構成上、別の操作部材を誤って操作してしまう恐れがある場合などは、このようにすることで意図しない撮影を防止することができ、有効である。
【００５２】
あるいは、前記別の操作部材を操作した後、所定時間内にレリーズ釦２０を押すことで設定モード外の撮影ができるようにしてもよい。前記別の操作部材が、構成上操作しにくい位置や形状であったり、操作時に手振れしやすい位置にあったり、あるいは、上記のようにレリーズ釦２０との同時操作がしにくい位置にしか配置できない場合に有効である。
【００５３】
なお、上記においては、十字釦２２，４４を第２の操作部材としたが、これに限るものではなく、さらに別の操作部材を第２の操作部材としてもよい。
【００５４】
また、上記においては、方向指示部材を十字釦２２，４４として説明したが、これに限らず、方向指示部材は他の形態のもの、例えばポインティングデバイスや埋め込み型の回転ボールなどであってもよい。ここで、ポインティングデバイスは、図８に示すように、突出したレバー５０を少なくとも上下左右の４方向に傾けることによって方向を指示することができる所謂ジョイスティックのようなものであってもよい。
【００５５】
さらに、上記においては、デジタルカメラを例に説明したが、本発明はデジタルビデオやカメラ付き携帯電話等の撮影装置にも適用できることは言うまでもない。
【図面の簡単な説明】
【００５６】
【図１】第１実施形態のデジタルカメラの背面側から見た斜視図。
【図２】モードダイヤルの拡大図。
【図３】モードダイヤルの別の例を示す拡大図。
【図４】第２実施形態のデジタルカメラの背面側から見た斜視図。
【図５】カメラの制御部で実行される制御のメインフローチャート。
【図６】図５の処理Ａを示すフローチャート。
【図７】図５の処理Ｂを示すフローチャート。
【図８】ポインティングデバイスの一例を示す図。
【符号の説明】
【００５７】
１０，４０…デジタルカメラ
１１…鏡胴部
１２，４２…カメラ本体
１６，３２…モードダイヤル（機能切換手段）
２０…レリーズ釦（第１の操作部材）
２１…実行釦（機能選定部材、機能切換手段）
２２，４４…十字釦（第２の操作部材、方向指示部材、機能切換手段）
２４…メニュー釦（機能選定部材、機能切換手段）
２６…表示部
２８…メインスイッチ
３０…撮影／再生切換レバー（機能切換手段）
４２…モード切換レバー（機能切換手段）
【図１】
2005208194.tif 000003
【図２】
2005208194.tif 000004
【図３】
2005208194.tif 000005
【図４】
2005208194.tif 000006
【図５】
2005208194.tif 000007
【図６】
2005208194.tif 000008
【図７】
2005208194.tif 000009
【図８】
2005208194.tif 000010